(57)【要約】【課題】歯科用接着剤容器の容器本体と蓋部材との接合部の破断時に、容器本体がぶれるようなことがあっても、容器本体内の内容物が外に流出することを防止する。【解決手段】歯科用接着剤容器１は、容器本体２と蓋部材３とからなり、容器本体２と蓋部材３との間には、脆弱部１３が形成され、脆弱部１３を破断することによって、容器１は開栓される。円筒形状の蓋部材３は、内部に閉塞部材２１が設けられ、閉塞部材２１は、蓋部材３から脆弱部１３を僅かに越えて配設されている。脆弱部１３を破断する際に、破断後も閉塞部材２１が容器本体２の開口を閉塞するようにして、内容物の飛び出しを防止するようにした。【選択図】図３
2008290724.tif 000002
【特許請求の範囲】
【請求項１】
開口部を有する容器本体と前記開口部と連結される蓋部材とを備え、これらの容器本体の開口部と蓋部材との接合が脆弱部によって一体的に連結され、該脆弱部からなる接合部を破断することによって前記容器本体と蓋部材とを分離する容器において、
前記蓋部材の前記容器本体との連結部に該容器本体側へ突出する閉塞部材を設け、該閉塞部材によって前記容器本体の開口部を閉塞するようにしたことを特徴とする容器。
【請求項２】
前記蓋部材が前記開口部に連結される筒状部と、該筒状部の内周部に配設されている前記閉塞部材とからなり、該閉塞部材を前記蓋部材の筒部に嵌入するようにしたことを特徴とする請求項１に記載の容器。
【請求項３】
前記閉塞部材は、該閉塞部材の外周面の断面形状が、前記筒状部の内周面の断面形状よりも大きな弾性部材で形成されていることを特徴とする請求項２に記載の容器。
【請求項４】
前記蓋部材と前記容器本体との接合部は、熱溶着によって接合されていることを特徴とする請求項１〜３のいずれか１項に記載の容器。
【請求項５】
前記容器本体には該容器本体の外周面から外側に突出する把持部を形成するとともに、前記蓋部材には該蓋部材の外周面から外側に突出する把持部を形成し、前記切断部が前記一対の把持部の逆回転方向による切断であることを特徴とする請求項１〜４いずれか１項に記載の容器。
【請求項６】
前記容器本体に入る内容物が医科用接着材であることを特徴とする請求項１〜５のいずれ１項に記載の容器。
【発明の詳細な説明】
【技術分野】
【０００１】
本発明は、容器本体の開口部と蓋部材との接合が脆弱部によって一体的に連結され、脆弱部からなる接合部を破断することによって容器本体と蓋部材とを分離する容器に関する。
【背景技術】
【０００２】
歯科用に用いられる接着材については、複数回を繰り返して使用する容器に収容されるものと、１回分のだけの治療に用いられる容器に収容されるものがある。前者の複数回を繰り返して使用する容器は、治療回数の相当分が容器に収容され、治療毎に蓋部材を開栓してその都度治療を行っている。後者の１回分の治療のみについて接着材を使用する容器については、密閉状態にある容器が開栓されて、通常は接着材の残量にかかわらず、治療後に容器がその都度廃棄される。
【０００３】
図８のＡは、従来の他の歯科用接着材に用いられている容器を示す。
容器６１は容器本体６２とその蓋部材６３とから構成され、下部に円板形状の台座６４が設けられ、中心部には容器部６５が台座６４から上方に立設するように上下方向に設けられ、容器部６５の左右両側には、薄板形状のフィン６６ａ，６６ｂが形成されている。他方、蓋部材６３の左右両側にも同様に、薄板形状のフィン６６ｃ，６６ｄが形成されている。容器本体６２の上部には、蓋部材６３が形成されている。容器本体６２と蓋部材６３の間には、脆弱部６８が形成され、この脆弱部６８は容器部６５に接着材を収容した後に、溶着などによって結合される。
【０００４】
容器６１を開けて接着材を取り出すには、蓋部材６３を掴み捻るようにして脆弱部６８を切断する。そして、図８のＢに示すように、そのまま容器本体６２を立てた姿勢で適当な位置において、脆弱部６８を切断して形成された開口６９にロッド（図５参照）を差し込んで、ロッドの先端部に接着材を付着させて歯科治療を行なっている。歯科治療が終了した後は、容器本体６２が蓋部材６３と分離した状態で廃棄される。
なお、１回限りの使い捨て容器については、下記の特許文献１及び特許文献２のような容器が開示されている。
【特許文献１】特開２００３−３１０６４６号公報
【特許文献２】特開２００３−１７５０７７号公報
【発明の開示】
【発明が解決しようとする課題】
【０００５】
上述したように、図８のＡに示す容器６１を開封するときには、容器本体６２のフィン６６ａ，６６ｂと蓋部材６３のフィン６６ｃ，６６ｄとを逆方向に回転するようにして、容器本体６２と蓋部材６３との脆弱部６８を切断する。この脆弱部６８は、容器本体６２から蓋部材６３が破断すると内容物が漏れてしまうので、ある程度の強度を必要とする。また、容器本体６２と蓋部材６３とを切断する際は、徐々に脆弱部が破断されるものでなく、破断するときは全体が一瞬のうちに破断し、容器本体６２の開口６９と蓋部材６３とが分離する。
【０００６】
しかしながら、硬質の樹脂同士の破断であるので、破断時に容器本体６２に軽い衝撃（ポキッと折れるような感じ）が発生し、その際に該容器本体６２と蓋部材６３との間にぶれが生じ、その結果容器本体６２の自由端側である開口６９が開放されて大きく揺れて、その勢いによって内容物が開口から流出することがある。
また、容器本体６２と蓋部材６３との接合方法は、熱溶着や接着剤の使用など種々の方法が考えられるが、いずれにしても、容器本体６２に入れた内容物の漏れを防止するために、完全な密閉を施さなければならず、その一方容器本体６２と蓋部材６３とが容易に破断されなければならず、高度の接合技術を必要としている。
本発明は、このような事情に鑑みてなされたものであって、容器本体と蓋部材との接合部の破断時に、容器本体のぶれをできるだけ小さくして開口６９の揺れを低く抑え、容器本体内の内容物が外に流出することを防止し、さらには接合部が完全に密閉されていなくとも容器本体の内容物は密閉状態にされる容器を提供することを目的とする。
【課題を解決するための手段】
【０００７】
本発明の容器は、上記目的を達成するために、開口部を有する容器本体と前記開口部と連結される蓋部材とを備え、これらの容器本体の開口部と蓋部材との接合が脆弱部によって一体的に連結され、該脆弱部からなる接合部を破断することによって前記容器本体と蓋部材とを分離する容器において、前記蓋部材の前記容器本体との連結部に該容器本体側へ突出する閉塞部材を設け、該閉塞部材によって前記容器本体の開口部を閉塞するようにした。
上記容器は、前記蓋部材が前記開口部に連結される筒状部と、該筒状部の内周部に配設されている前記閉塞部材とからなり、該閉塞部材を前記蓋部材の筒部に嵌入することができる。
上記容器の前記閉塞部材は、該閉塞部材の外周面の断面形状が、前記筒状部の内周面の断面形状よりも大きな弾性部材で形成することができる。
上記容器の前記蓋部材と前記容器本体との接合部は、熱溶着によって接合させることができる。
上記容器本体の前記容器本体には該容器本体の外周面から外側に突出する把持部を形成するとともに、前記蓋部材には該蓋部材の外周面から外側に突出する把持部を形成し、前記切断部が前記一対の把持部の逆回転方向による切断とすることができる。
上記容器は、該容器本体に入る内容物が医科用接着材とすることができる。
【発明の効果】
【０００８】
本発明の容器は、開口部を有する容器本体と前記開口部と連結される蓋部材とを備え、これらの容器本体の開口部と蓋部材との接合が脆弱部によって一体的に連結され、該脆弱部からなる接合部を破断することによって前記容器本体と蓋部材とを分離する容器において、前記蓋部材の前記容器本体との連結部に該容器本体側へ突出する閉塞部材を設け、該閉塞部材によって前記容器本体の開口部を閉塞するようにしたので、容器本体と蓋部材との破断時に、該閉塞部材を回転軸として、前記容器本体と蓋部材とをスムーズに逆回転させることができるため、容器本体のぶれを小さく抑えることができる。したがって、容器本体の開口の揺れは小さく、内容物の揺動も大きく低減できる。その上、仮に容器本体が多少ぶれるようなことがあっても、閉塞部材で容器本体の開口を閉塞した状態が保持し易いため、容器本体に入れてある内容物の飛び出しが防止できる。また、脆弱部が気密でないような場合に、閉塞部材で脆弱部を連結しているので、脆弱部の気密状態とは無関係に容器本体を気密にすることができる。
上記容器は、前記蓋部材が前記開口部に連結される筒状部と、該筒状部の内周部に配設されている閉塞部材とからなり、該閉塞部材を前記蓋部材の筒部に嵌入するようにしたので、容器本体と蓋部材との接合後に閉塞部材を装着することができるようになった。したがって、内容物を容器本体に入れる前に、それらの接合が可能になった。
上記容器は、前記閉塞部材は、該閉塞部材の外周面の断面形状が、前記筒状部の内周面の断面形状よりも大きな弾性部材で形成されているので、密着力を安定させて維持させることができる。容器本体と蓋部材との破断後も閉塞部材が容器本体の開口部を安定させて閉塞することができる。
上記容器の前記容器本体には該容器本体の外周面から外側に突出する把持部を形成するとともに、前記蓋部材には該蓋部材の外周面から外側に突出する把持部を形成し、前記切断部が前記一対の把持部の逆回転方向による切断であるので、容器本体と蓋部材とをより小さな力で容易に破断することができる。
上記容器の前記容器本体に入る内容物が医科用接着材としたので、開栓時に飛び出しやすい医科用接着材の飛び出しを防止することができる。
【発明を実施するための最良の形態】
【０００９】
以下、本発明の第１の実施形態の容器について、図面を参照しながら説明する。
図１は、歯科治療用の接着材入れの未使用状態の容器の上方から見た断面図、図２は容器本体２を下方から見た断面図である。
図に示すように容器１は、歯科治療用の接着材を入れるいわゆる使い捨てタイプの容器である。樹脂製の容器１は、下部に樹脂製の容器本体２が形成され上部に容器本体２と同じ材質の蓋部材３が形成されている。
容器本体２は、上端側に接着材が収容される胴部５が形成され、この胴部５の形状は有底円筒形状である。胴部５の下部には、胴部５より大径の台座６が形成されている。台座６の周囲には、台座６の径方向に対向させて、かつ直径方向外側に突出する補助脚部７が、台座６の中心方向に向かい合うようにして２本形成されている。補助脚部７は台座６に一端が連結されている翼部８と翼部８の他端（先端）に連結されている円柱部９とからなる。翼部８は四角形状の板状部材であり、円柱部９の上端部は翼部８の上端部よりも上側に突出している。
【００１０】
図１に示す蓋部材３は、蓋本体１０と保持脚部１１及び閉塞部材２１とからなり、円柱状の蓋本体１０は、図３に示すように、容器本体２の内径と外径とが同一径となるように形成されている。この蓋本体１０と容器本体２との接合部は脆弱部１３を形成している。脆弱部１３の形成方法は、蓋本体１０と容器本体２とを一体成形によって薄肉部を形成してもよいし、蓋本体１０と容器本体２とを別部材として、後から接着剤によって蓋本体１０と容器本体２とを接合してもよい。本実施形態では、それらを別部材で成形し熱溶着によって、蓋本体１０と容器本体２とを接合している。
図１及び図２に示すように、蓋本体１０の保持脚部１１は、蓋本体１０の周囲に設けられ、蓋本体１０の径方向に対向させて、かつ直径方向外側に突出するように２本形成されている。保持脚部１１は、は蓋本体１０に一端が連結されている翼部１４と翼部１４の他端（先端）に連結されている円柱部１５とからなる。この保持脚部１１を形成する位置は、蓋部材３の補助脚部７の板面に対し、同一周角度に位置するようにして形成される。
【００１１】
閉塞部材２１は、合成樹脂で形成されたほぼ円柱形状の弾性材で形成されている。本実施形態では、閉塞部材２１の外径を蓋本体１０及び容器本体２の内径よりも大きく形成している。また、図３に示すように、閉塞部材２１が配設される位置は、閉塞部材２１の一端側端部が、蓋本体１０と容器本体２の脆弱部１３を越えて容器本体２側に、長さＬだけ突出するように装着している。したがって、蓋本体１０に閉塞部材２１を装着させた状態では、閉塞部材２１は径方向に圧縮された状態となり、反発力によって蓋本体１０及び容器本体２の内周面を押圧する状態にする。
閉塞部材２１を蓋本体１０に装着するときは、図４に示すように、蓋本体１０と容器本体２とを熱溶着させた後に、容器１に入れる内容物（医科用接着材）を収容した後、閉塞部材２１が脆弱部１３を跨ぐようにして蓋本体１０の開口２２から押し込む。閉塞部材２１を固定するための特別な接着剤などは必要とせず、閉塞部材２１の弾性力から得られる反発力で、閉塞部材２１を容器１に固定することができる。
【００１２】
容器本体２の台座６には、下側が開口した有底円筒形であり、台座６の周壁部には周壁部の下端から上側に延びるように形成した一対のスリット１６が形成されている。スリット１６を形成する位置は、台座６の中心を通りかつ一対の補助脚部７を結んだ直線に対して直角方向となる線上位置に配置されている。従って、補助脚部７とスリット１６は、台座６の周方向に９０度間隔で互い違いに配置されている。スリット１６の幅は、保持脚部１１の翼部１４の厚さにほぼ等しくなるように形成されている。
台座６には内孔１９を形成し内孔１９の内径は、蓋部材３の蓋本体１０の外径とほぼ等しく、容器本体２と蓋部材３を分離したときは、図５に示すように、台座６の内孔１９に蓋部材３が嵌合するように形成している。
【００１３】
このような容器によって、歯科医師が歯の治療をするため接着材を使用するときは、容器本体２の補助脚部７を一方の手で掴み、他方の手で蓋部材３の保持脚部１１を掴んで、補助脚部７と保持脚部１１を、図１中の矢印ａ，ｂに示すように逆方向に回転させることにより、脆弱部１３を破断する。この際、脆弱部１３は弾性を有さないので、一瞬にして蓋本体１０と容器本体２とが分離される。
これらの蓋本体１０と容器本体２の回転方向は互いに周方向であり、容器本体２の軸方向へ引き抜く方向の力は作用しない。また、それらが破断状態にあっても、閉塞部材２１が脆弱部１３を跨いで配設されているので、閉塞部材２１が容器本体２の内周面を押圧することによって連結部材の役割を果たし、蓋部材３と容器本体２とは連結状態が維持されている。
すなわち、閉塞部材２１を回転軸として、容器本体２と蓋部材３とをスムーズに逆回転させることができるため、容器本体２のぶれを小さく抑えることができる。したがって、容器本体２の開口１７の揺れは小さく、内容物の揺動も大きく低減できる。その上、仮に容器本体２が多少ぶれるようなことがあっても、閉塞部材２１で容器本体２の開口１７を閉塞した状態が保持し易いため、容器本体２に入れてある内容物の飛び出しが防止できる。
【００１４】
なお、保持脚部１１は、両端部にある円柱部１５及び１５間の距離が長いので、回転モーメントが大きくなって小さな力で脆弱部１３を切断することができる。
蓋部材３を容器本体２から分離させた後は、蓋部材３の向きを上下方向が逆になるように向け、さらに蓋部材３の保持脚部１１の位置を容器本体２の補助脚部７に対して９０度、周方向にずらす位置に回転させる。そして、容器本体２の台座６の直下方に蓋部材３を持って行き、台座６の内孔に蓋部材３の蓋本体１０を嵌合するとともに、保持脚部１１の翼部１４をスリット１６に差し込む。すると、図５に示すように、容器本体２と蓋部材３とがロケット形状に連結され、容器１の下部は、補助脚部７と保持脚部１１とで十字形状になり、安定した状態で任意の場所に置くことができる。
【００１５】
このように、容器本体２が取出し開口１７を上に向けた状態で、適当な位置に容器１を置くことによって、容器１は安定した起立姿勢を維持することができる。
したがって、歯科医師は安定状態で置かれた容器１の取出し開口１７にロッド１８の先端部を差し込んで、接着材を取り出すことができる。なお、歯科医師が接着材を全部使い切っておらず、再度の使用を望む場合は、閉塞部材２１を容器本体２の開口１７に差し込むことによって、蓋部材３を容器本体２に被せて保存ができる。
さらに、閉塞部材２１は、このように閉栓の役割を果たし、さらには、熱溶着している連結部である脆弱部１３を跨いで配設されているので、連結部の厳格な密着性が施されていなくとも、容器１の内部の密着性を維持させる効果がある。
【００１６】
次に、本発明の第２の実施形態について説明する。
なお、上記実施形態と同じ名称の部分については同一の符合を付して説明する。
図６に示すように容器１は、歯科用接着剤容器に限定されないいわゆる汎用容器であり、液体もしくは粉末及び粒子状の個体などを収容することができる。
この樹脂製の容器１は、下部に樹脂製の容器本体２が形成され上部に容器本体２と同じ材質の蓋部材３が形成されている。
これらのうち、容器本体２は、有底円筒形状体である。蓋部材３は、蓋本体１０と円柱形状の閉塞部材２１とからなり、蓋本体１０は、容器本体２の内径と外径とが同一径となるように形成されている。この蓋本体１０と容器本体２との接合部は脆弱部１３を形成している。脆弱部１３の形成方法は、蓋本体１０と容器本体２とを一体成形によって薄肉部を形成してもよいし、蓋本体１０と容器本体２とを別部材として、後から接着剤によって蓋本体１０と容器本体２とを接合してもよい。本実施形態では、それらを別部材で成形し熱溶着によって、蓋本体１０と容器本体２とを接合している。
【００１７】
閉塞部材２１は、合成樹脂で形成されたほぼ円柱形状の弾性材で形成され、閉塞部材２１の外径を蓋本体１０及び容器本体２の内径よりも大きく形成している。閉塞部材２１が配設される位置は、閉塞部材２１の一端側端部が、蓋本体１０と容器本体２の脆弱部１３を越えて容器本体２側に、長さＬだけ突出するように装着している。したがって、蓋本体１０に閉塞部材２１を装着させた状態では、閉塞部材２１は径方向に圧縮された状態となり、容器１に固定される。
【００１８】
閉塞部材２１を容器１に装着するときは、治具３０を使用すると便利である。治具３０は、ストッパ部３１と突部である押し込み部３２とを備えている。この治具３０の押し込み部３２の長さを、予め閉塞部材２１が脆弱部１３より長さＬだけ越えるような長さＬ２にしておけば、閉塞部材２１の押し込み量を容易に、精確に行うことができ、脆弱部１３を破断した後に、閉塞部材２１の容器本体２の開口１７に対する閉塞力を一定値若しくは一定範囲内に調整できる。
このように、一般的な形状の容器１についても、脆弱部１３を破断したときに閉塞部材２１が容器本体２の開口１７を閉塞しているので、内容物が容器本体２から飛び出すことがない。また、閉塞部材２１は弾性部材で形成され、容器本体２への閉塞長さも少ないので、容易にその後、蓋部材３を引き抜くことによって、容器本体２から外すことができる。
【００１９】
以上、本発明の実施の形態について説明したが、本発明の技術的思想に基づいて、勿論、本発明は種々の変形又は変更が可能である。
例えば、上記実施形態では、蓋部材３を筒状に形成し、容器本体２と蓋部材３を熱溶着した後、閉塞部材２１を蓋部材３及び容器本体２に装着したが、蓋部材３の蓋本体１０は筒状であることは要せず、蓋部材３の上端部が閉塞されているものでも適用が可能である。
すなわち、図７に示すように、蓋部材３の容器本体２との接合部側に閉塞部材２１の嵌入部２４を形成し、この嵌入部２４に閉塞部材２１を嵌入し、容器本体２を閉塞するようにしてもよい。さらには、図７に示す、蓋本体１０と閉塞部材２１とを一体成形によって形成してもよい。
【図面の簡単な説明】
【００２０】
【図１】本発明の第１の実施形態における容器本体と蓋部材とからなる容器の未開封状態の斜視図である。
【図２】図１の容器の容器本体から蓋部材を外した状態の容器本体の斜視図である。
【図３】図１のＸ−Ｘ線方向における断面図である。
【図４】図１の容器に閉塞部材を組み込む前の斜視図である。
【図５】図１の容器から蓋部材を外して該蓋部材を容器本体の底部に組み込んでロケット形状にした、容器の使用状態の斜視図である。
【図６】本発明の第２の実施形態による容器の分解斜視図と容器の斜視図である。
【図７】本発明の変形例による容器の断面図である。
【図８】従来の歯科用に使用されている歯科接着材用の使い捨て容器であって、Ａは未使用状態の斜視図、Ｂは蓋部材を外した状態の容器の容器本体の斜視図である。
【符号の説明】
【００２１】
１  容器
２  容器本体
３  蓋部材
１０  蓋本体
１３  脆弱部
２１  閉塞部材
【図１】
2008290724.tif 000003
【図２】
2008290724.tif 000004
【図３】
2008290724.tif 000005
【図４】
2008290724.tif 000006
【図５】
2008290724.tif 000007
【図６】
2008290724.tif 000008
【図７】
2008290724.tif 000009
【図８】
2008290724.tif 000010